(57)【要約】【課題】輸液ラインにおいて、複数の輸液チューブを簡単に識別する。【解決手段】輸液ライン識別システム１０は、輸液剤を流通可能な第１及び第２輸液チューブ１６、１８と、第１輸液チューブ１６上を移動自在に配置され、第２輸液チューブ１８と区別可能な識別情報を有する上流側識別部材５０と、上流側識別部材５０に関連した識別情報を有し、第１輸液チューブ１６上において上流側識別部材５０と分離可能に接続される下流側識別部材５２とを備える。【選択図】図１
2014200415.tif 000002
【特許請求の範囲】
【請求項１】
輸液剤を流通可能な複数の輸液チューブと、
一の輸液チューブ上を移動自在に配置され、他の輸液チューブと区別可能な識別情報を有する第１識別体と、
前記第１識別体に関連した識別情報を有し、前記一の輸液チューブ上又は前記一の輸液チューブが接続される前記輸液剤の供給源において前記第１識別体と分離可能に接続される第２識別体とを備える
ことを特徴とする輸液ライン識別システム。
【請求項２】
請求項１記載の輸液ライン識別システムにおいて、
前記第１識別体と前記第２識別体は、１つの識別デバイスとして構成され、
前記識別デバイスは、前記複数の輸液チューブ毎に取り付けられる
ことを特徴とする輸液ライン識別システム。
【請求項３】
請求項１又は２記載の輸液ライン識別システムにおいて、
前記第１及び第２識別体は、前記一の輸液チューブ又は前記供給源に対し離脱不能に取り付けられる
ことを特徴とする輸液ライン識別システム。
【請求項４】
請求項１又は２記載の輸液ライン識別システムにおいて、
前記第１及び第２識別体は、前記一の輸液チューブ又は前記供給源に対し着脱自在に取り付けられる
ことを特徴とする輸液ライン識別システム。
【請求項５】
請求項１〜４のいずれか１項に記載の輸液ライン識別システムにおいて、
前記第１及び第２識別体の識別情報は、前記一の輸液チューブを流通する前記輸液剤に関連するものであり、
前記輸液ライン識別システムは、前記識別情報を読み取る読取装置と、
前記読取装置が読み取った前記第１識別体の識別情報と、前記第２識別体の識別情報に基づき、輸液ラインの正常又は異常を判別する判別部とを備える
ことを特徴とする輸液ライン識別システム。
【請求項６】
請求項５記載の輸液ライン識別システムにおいて、
前記判別部は、前記一の輸液チューブ上に設けられ前記輸液剤を送液するポンプに設けられる
ことを特徴とする輸液ライン識別システム。
【請求項７】
請求項６記載の輸液ライン識別システムにおいて、
前記読取装置は、読み取った前記識別情報を送信可能に前記ポンプに接続される
ことを特徴とする輸液ライン識別システム。
【請求項８】
請求項４〜７のいずれか１項に記載の輸液ライン識別システムにおいて、
前記第２識別体は、前記ポンプであり、
前記判別部は、前記第１識別体の識別情報と前記ポンプが有する識別情報に基づき、輸液ラインの正常又は異常を判別する
ことを特徴とする輸液ライン識別システム。
【請求項９】
請求項８記載の輸液ライン識別システムにおいて、
前記ポンプは、前記一の輸液チューブを収容する収容部を有し前記一の輸液チューブを流通する前記輸液剤に流動力を付与する筐体と、
前記筐体に取り付けられ、前記収容部を開放及び閉塞する蓋体とを備え、
前記第１識別体は、前記一の輸液チューブを挿通可能な挿通孔を有し、
前記挿通孔を囲う前記第１識別体の周方向には、前記第１識別体が前記ポンプに接続された状態で、前記蓋体の開放にともない前記挿通孔を露出し、前記蓋体の閉塞にともない前記挿通孔を覆う扉部が設けられている
ことを特徴とする輸液ライン識別システム。
【請求項１０】
請求項６〜９のいずれか１項に記載の輸液ライン識別システムにおいて、
前記ポンプは、前記輸液剤の送液速度の設定情報が取扱者により設定される送液速度設定部を有し、
当該輸液ライン識別システムは、予め指示される前記輸液剤の指示速度情報と前記設定情報の一致を判別する設定速度判別部を備える
ことを特徴とする輸液ライン識別システム。
【請求項１１】
請求項６〜９のいずれか１項に記載の輸液ライン識別システムにおいて、
前記ポンプは、前記輸液剤の送液速度の設定情報が取扱者により設定される送液速度設定部を有し、
当該輸液ライン識別システムは、内部に保持する前記送液速度の上限値又は下限値を予め設定した速度範囲情報と、前記設定情報との一致を判別する許容速度判別部を備える
ことを特徴とする輸液ライン識別システム。
【請求項１２】
請求項４〜１１のいずれか１項に記載の輸液ライン識別システムにおいて、
前記供給源には、前記輸液剤の識別情報を示す第３識別体が取り付けられ、
前記輸液剤が供給される患者には、前記患者の識別情報を示す第４識別体が取り付けられ、
前記判別部は、前記第１〜第４識別体の各識別情報に基づき、前記輸液ラインの正常又は異常を判別する
ことを特徴とする輸液ライン識別システム。
【請求項１３】
請求項１〜１２のいずれか１項に記載の輸液ライン識別システムにおいて、
前記第１及び第２識別体の少なくとも一方は、
前記供給源に接続保持され、且つ前記第１及び第２識別体の他方に関連した情報を有する識別部を備えた本体部と、
前記本体部と相対的に移動可能に設けられる可動部とを備え、
前記可動部は、前記一の輸液チューブ上に前記本体部が位置する状態で前記識別部を覆い、前記供給源に保持された状態で前記識別部を露出可能である
ことを特徴とする輸液ライン識別システム。
【請求項１４】
輸液剤を流通可能な輸液チューブが複数設けられた輸液ラインに取り付けられる識別デバイスであって、
一の輸液チューブ上を移動自在に配置され、且つ他の輸液チューブと区別可能な識別情報を有する第１識別体と、
前記第１識別体に関連した識別情報を有し、前記一の輸液チューブ上又は前記一の輸液チューブが接続される前記輸液剤の供給源において前記第１識別体と分離可能に接続される第２識別体とを有する
ことを特徴とする識別デバイス。
【請求項１５】
輸液剤を流通可能な輸液チューブが複数設けられた輸液ラインに取り付けられる識別デバイスであって、
一の輸液チューブ上を移動自在に配置され、且つ他の輸液チューブと区別可能な識別情報を有する第１識別体と、
前記第１識別体に関連した識別情報を有するとともに前記第１識別体に分離可能に接続され、且つ前記一の輸液チューブ上において前記輸液剤に流動力を付与するポンプとを有する
ことを特徴とする識別デバイス。
【発明の詳細な説明】
【技術分野】
【０００１】
本発明は、輸液剤を流通可能な複数の輸液チューブを識別するための輸液ライン識別システムに関し、また複数の輸液チューブを識別するために取り付けられる識別デバイスに関する。
【背景技術】
【０００２】
現在、輸液剤の誤投与を防止するため、医療現場において様々な措置が採られている。特に、複数種類の輸液剤を患者に投与する場合は、輸液剤を収容する複数の輸液バッグ毎に輸液チューブを接続するため、輸液ラインが複雑になり、個々の輸液チューブの識別が重要となる。
【０００３】
例えば、特許文献１には、複数の輸液チューブを途中位置で並べて固定するベルトと、輸液剤が供給される下流側の端部に輸液剤の名称を表示した薬剤識別具とを輸液ラインに取り付けることが提案されている。また、医療現場によっては、輸液バッグと患者の各々にバーコードを有するタグを付けておき、輸液開始前に各タグの情報を読み取って、輸液剤とこれを投与する患者の関係性が正しいか否か判別している。
【先行技術文献】
【特許文献】
【０００４】
【特許文献１】特開２００７−２８９５９５号公報
【発明の概要】
【発明が解決しようとする課題】
【０００５】
しかしながら、従来の輸液剤の識別方法では、輸液ラインを構成している複数の輸液チューブの接続状態を認識することが困難であった。例えば、輸液バッグ（輸液剤）とこれを投与する患者が合っていても、その間を繋ぐ複数の輸液チューブが混線していることで、輸液剤の送液を制御するポンプに対し輸液チューブを互い違いに接続し、輸液剤の投与速度を誤った状態で患者に投与してしまうおそれがある。換言すれば、従来のように、輸液チューブの一部分、輸液バッグ、或いは患者というポイントを個別に識別したとしても、その間を繋ぐ複数のラインを相互に違えることで、輸液剤を誤投与してしまうという不都合が生じる。
【０００６】
本発明は、上記の実情に鑑みてなされたものであって、複数の輸液チューブからなる輸液ラインにおいて、簡単な構成によって各輸液チューブを識別することができ、これにより輸液剤の誤投与を防いで、患者に対し輸液剤を良好に投与することができる輸液ライン識別システム及び識別デバイスの提供を目的とする。
【課題を解決するための手段】
【０００７】
前記の目的を達成するために、本発明に係る輸液ライン識別システムは、輸液剤を流通可能な複数の輸液チューブと、一の輸液チューブ上を移動自在に配置され、他の輸液チューブと区別可能な識別情報を有する第１識別体と、前記第１識別体に関連した識別情報を有し、前記一の輸液チューブ上又は前記一の輸液チューブが接続される前記輸液剤の供給源において前記第１識別体と分離可能に接続される第２識別体とを備えることを特徴とする。
【０００８】
上記によれば、輸液ライン識別システムは、一の輸液チューブ上を移動自在に配置され、他の輸液チューブと区別可能な識別情報を有する第１識別体と、第１識別体に関連した識別情報を有し第１識別体と分離可能に接続される第２識別体とを備えるという簡単な構成によって、他の輸液チューブに対し一の輸液チューブを容易に識別することができる。すなわち、医師や看護師等の輸液ラインの取扱者は、第１識別体と第２識別体を互いに接続した状態で一の輸液チューブに配置し、その後に第１識別体と第２識別体を分離して、一の輸液チューブに沿って第１識別体を移動させる。その結果、取扱者は、複数の輸液チューブが混線していても、互いに離間した第１及び第２識別体により一の輸液チューブを正確に識別することが可能となる。これにより、輸液剤の誤投与を低減することができ、患者に対し輸液剤を良好に投与することができる。
【０００９】
この場合、前記第１識別体と前記第２識別体は、１つの識別デバイスとして構成され、前記識別デバイスは、前記複数の輸液チューブ毎に取り付けられることが好ましい。
【００１０】
このように、識別デバイスが複数の輸液チューブ毎に取り付けられることで、取扱者は、複数のチューブを全て識別することができる。よって、確実に輸液剤の誤投与を防ぐことができる。
【００１１】
また、前記第１及び第２識別体は、前記一の輸液チューブ又は前記供給源に対し離脱不能に取り付けられるとよい。
【００１２】
このように、第１及び第２識別体が離脱不能に取り付けられることで、一の輸液チューブから識別体が外れることなく確実に移動させることができるため、一の輸液チューブの識別をより確実に行うことが可能となる。
【００１３】
或いは、前記第１及び第２識別体は、前記一の輸液チューブ又は前記供給源に対し着脱自在に取り付けられてもよい。
【００１４】
このように、第１及び第２識別体が着脱自在に取り付けられることで、例えば、輸液剤を送液するためのポンプを一の輸液チューブに取り付けた後でも、第１及び第２識別体を輸液バッグとポンプの間に取り付けることができる。よって、複数の輸液チューブにより混線が生じている輸液ラインに、第１及び第２識別体を取り付けることで、一の輸液チューブを容易に識別することができる。
【００１５】
ここで、前記第１及び第２識別体の識別情報は、前記一の輸液チューブを流通する前記輸液剤に関連するものであり、前記輸液ライン識別システムは、前記識別情報を読み取る読取装置と、前記読取装置が読み取った前記第１識別体の識別情報と前記第２識別体の識別情報に基づき、輸液ラインの正常又は異常を判別する判別部とを備える構成とすることができる。
【００１６】
このように、読取装置が読み取った第１識別体の識別情報と第２識別体の識別情報に基づき判別部が判別を行うことで、人為的ミスを減らすことができる。
【００１７】
この場合、前記判別部は、前記一の輸液チューブ上に設けられ前記輸液剤を送液するポンプに設けられるとよい。
【００１８】
このように、判別部がポンプに設けられることで、ポンプにおいて一の輸液チューブの接続状態を判別することができる。従って、輸液ラインの構築時に、輸液チューブの誤接続を医療現場にて直ぐに認識して、輸液チューブの接続を修正することができる。
【００１９】
そして、前記読取装置は、読み取った前記識別情報を送信可能に前記ポンプに接続されてもよい。
【００２０】
このように、読取装置がポンプに接続されることで、コンパクトな構成により一の輸液チューブの識別を行うことができる。
【００２１】
また、前記第２識別体は、前記ポンプであり、前記判別部は、前記第１識別体の識別情報と前記ポンプが有する識別情報に基づき、輸液ラインの正常又は異常を判別する構成とすることができる。
【００２２】
このように、第２識別体がポンプであることで、輸液ライン識別システムは、一の輸液チューブに沿って第１識別体をポンプと相対的に移動することで、一の輸液チューブが接続する輸液バッグとポンプとの接続関係を容易に識別することができる。
【００２３】
上記の構成に加えて、前記ポンプは、前記一の輸液チューブを収容する収容部を有し前記一の輸液チューブを流通する前記輸液剤に流動力を付与する筐体と、前記筐体に取り付けられ、前記収容部を開放及び閉塞する蓋体とを備え、前記第１識別体は、前記一の輸液チューブを挿通可能な挿通孔を有し、前記挿通孔を囲う前記第１識別体の周方向には、前記第１識別体が前記ポンプに接続された状態で、前記蓋体の開放にともない前記挿通孔を露出し、前記蓋体の閉塞にともない前記挿通孔を覆う扉部が設けられていることを特徴とするとよい。
【００２４】
このように、第１識別体が、ポンプに接続された状態で、ポンプの蓋体の開放にともない挿通孔を露出し、蓋体の閉塞にともない挿通孔を覆う扉部を備えることで、ポンプを取り付ける際に蓋体と同時に扉部を開くことができ、ポンプと第１識別体を一体的に輸液チューブに取り付けることが可能となる。
【００２５】
また、前記ポンプは、前記輸液剤の送液速度の設定情報が取扱者により設定される送液速度設定部を有し、当該輸液ライン識別システムは、予め指示される前記輸液剤の指示速度情報と前記設定情報の一致を判別する設定速度判別部を備えることが好ましい。
【００２６】
このように、設定速度判別部が、外部から指示される輸液剤の指示速度情報と設定情報の一致を判別することで、識別情報の取得時に、輸液剤の送液速度の設定状態も確認することができ、送液速度の設定ミス等を防ぐことが可能となる。
【００２７】
さらに、前記ポンプは、前記輸液剤の送液速度の設定情報が取扱者により設定される送液速度設定部を有し、当該輸液ライン識別システムは、内部に保持する前記送液速度の上限値又は下限値を予め設定した速度範囲情報と、前記設定情報との一致を判別する許容速度判別部を備えることが好ましい。
【００２８】
このように、許容速度判別部が、内部に保持する輸液剤の送液速度の上限値又は下限値を予め設定した速度範囲情報を判別することで、輸液剤の許容速度を越えて輸液剤を患者に投与してしまうことを防ぐことができる。
【００２９】
またさらに、前記供給源には、前記輸液剤の識別情報を示す第３識別体が取り付けられ、前記輸液剤が供給される患者には、前記患者の識別情報を示す第４識別体が取り付けられ、前記判別部は、前記第１〜第４識別体の各識別情報に基づき、前記輸液ラインの正常又は異常を判別する構成としてもよい。
【００３０】
このように、判別部が、第１〜第４識別体の各識別情報に基づき、輸液ラインの正常又は異常を判別することで、複数の輸液チューブの誤接続をより確実に識別することができる。
【００３１】
さらにまた、前記第１及び第２識別体の少なくとも一方は、前記供給源に接続保持され、且つ前記第１及び第２識別体の他方に関連した情報を有する識別部を備えた本体部と、前記本体部と相対的に移動可能に設けられる可動部とを備え、前記可動部は、前記一の輸液チューブ上に前記本体部が位置する状態で前記識別部を覆い、前記供給源に保持された状態で前記識別部を露出可能であることが好ましい。
【００３２】
このように、一の輸液チューブ上に本体部が位置する状態で、可動部が識別部を覆い、供給源に保持された状態で識別部を露出可能であることで、一の輸液チューブ上において識別情報を不用意に読み取ってしまう不都合を抑止することができる。
【００３３】
また、前記の目的を達成するために、本発明は、輸液剤を流通可能な輸液チューブが複数設けられた輸液ラインに取り付けられる識別デバイスであって、一の輸液チューブ上を移動自在に配置され、且つ他の輸液チューブと区別可能な識別情報を有する第１識別体と、前記第１識別体に関連した識別情報を有し、前記一の輸液チューブ上又は前記一の輸液チューブが接続される前記輸液剤の供給源において前記第１識別体と分離可能に接続される第２識別体とを有することを特徴とする。
【００３４】
また、前記の目的を達成するために、本発明は、輸液剤を流通可能な輸液チューブが複数設けられた輸液ラインに取り付けられる識別デバイスであって、一の輸液チューブ上を移動自在に配置され、且つ他の輸液チューブと区別可能な識別情報を有する第１識別体と、前記第１識別体に関連した識別情報を有するとともに前記第１識別体に分離可能に接続され、且つ前記一の輸液チューブ上において前記輸液剤に流動力を付与するポンプとを有することが好ましい。
【発明の効果】
【００３５】
本発明によれば、輸液ライン識別システムは、複数の輸液チューブからなる輸液ラインにおいて、簡単な構成によって各輸液チューブを識別することができ、これにより輸液剤の誤投与を防いで、患者に対し輸液剤を良好に投与することができる。
【図面の簡単な説明】
【００３６】
【図１】本発明の第１実施形態に係る輸液ライン識別システムの全体構成を示す概略説明図である。
【図２】図２Ａは、図１の輸液ライン識別システムの準備段階を示す概略説明図であり、図２Ｂは、図２Ａの状態から輸液ライン構築時の途中状態を示す概略説明図であり、図２Ｃは、図２Ｂの状態から上流側及び下流側識別部材の移動状態を示す概略説明図である。
【図３】図３Ａは、第１変形例に係る輸液ライン識別システムの全体構成を示す概略説明図であり、図３Ｂは、第２変形例に係る輸液ライン識別システムの全体構成を示す概略説明図である。
【図４】図１の輸液ライン識別システムの一部分を示すブロック図である。
【図５】図１の輸液ライン識別システムの処理を示すフローチャートである。
【図６】本発明の第２実施形態に係る輸液ライン識別システムの一部分を示すブロック図である。
【図７】図６の輸液ライン識別システムの処理を示すフローチャートである。
【図８】図８Ａは、本発明の第３実施形態に係る輸液ライン識別システムの全体構成を示す概略説明図であり、図８Ｂは、図８Ａの状態から上流側及び下流側識別部材の移動後の状態を示す概略説明図である。
【図９】図８Ａの輸液ライン識別システムの一部分を示すブロック図である。
【図１０】図８Ａの輸液ライン識別システムの処理を示すフローチャートである。
【図１１】図１１Ａは、本発明の第４実施形態に係る輸液ライン識別システムを示す概略説明図であり、図１１Ｂは、図１１Ａの状態から上流側及び下流側識別部材の移動状態を示す概略説明図であり、図１１Ｃは、図１１Ｂの状態から上流側及び下流側識別部材の移動後の状態を示す概略説明図である。
【図１２】図１１Ａの輸液ライン識別システムの一部分を示すブロック図である。
【図１３】図１３Ａは、図１１Ａの上流側識別部材とびん針の接続前の状態を示す斜視図であり、図１３Ｂは、図１３Ａの状態から上流側識別部材とびん針を接続した状態を示す斜視図である。
【図１４】図１４Ａは、図１３Ａの上流側識別部材の一部断面図であり、図１４Ｂは、図１４Ａの状態から上流側識別部材とびん針を接続した状態を示す一部断面図である。
【図１５】図１５Ａは、図１１Ａの輸液ライン識別システムの第１識別デバイスを示す概略斜視図であり、図１５Ｂは、図１５Ａの第１ポンプを示す概略平面図であり、図１５Ｃは、図１５Ｂの第１ポンプと上流側識別部材の関係性を示す概略平面図である。
【発明を実施するための形態】
【００３７】
以下、本発明に係る輸液ライン識別システムについて、このシステムに用いられる識別デバイスとの関係で好適な実施形態（第１〜第４実施形態）を挙げ、添付の図面を参照して詳細に説明する。
【００３８】
本発明に係る輸液ライン識別システムは、複数種類の輸液剤を患者に投与するために構築される輸液ラインに適用され、医師や看護師等の取扱者に対して複数の輸液チューブを容易に識別させることを可能としたものである。なお、患者に投与される輸液剤は、薬液、補正用電解質液、生理食塩水、栄養素、血液等の生体に投与し得るあらゆる液体を含むものとする。
【００３９】
〔第１実施形態〕
第１実施形態に係る輸液ライン識別システム１０は、図１に示すように、投与する複数種類の輸液剤に応じて複数の輸液バッグが用意される。以下の説明では、本発明の理解を容易にするために、２種類の輸液剤を投与する、すなわち２つの輸液バッグ（第１輸液バッグ１２、第２輸液バッグ１４）から第１輸液剤Ｔ１、第２輸液剤Ｔ２を各々投与する輸液ラインについて詳述していく。勿論、輸液ライン識別システム１０は、このような構成に限定されるものではなく、３種類以上の輸液剤を患者に投与する、すなわち３以上の輸液バッグを備えた構成であってもよい。
【００４０】
輸液ライン識別システム１０は、上記の第１及び第２輸液バッグ１２、１４の他に、第１輸液チューブ１６、第２輸液チューブ１８、第１ポンプ２０、第２ポンプ２２、第１識別デバイス２４、第２識別デバイス２６、第１読取装置２８及び第２読取装置３０を備える。第１輸液バッグ１２、第１輸液チューブ１６、第１ポンプ２０、第１識別デバイス２４及び第１読取装置２８は、主に第１輸液剤Ｔ１の流通をなす構成要素であり、第２輸液バッグ１４、第２輸液チューブ１８、第２ポンプ２２、第２識別デバイス２６及び第２読取装置３０は、主に第２輸液剤Ｔ２の流通をなす構成要素である。以降の説明では、特に指示のない限り第１輸液剤Ｔ１を流通する構成要素を代表的に述べていく。
【００４１】
第１輸液バッグ１２は、第１輸液剤Ｔ１を貯留する包装体であり、第１輸液剤Ｔ１を所定量貯留する大きさに形成されており、輸液時には図示しない吊下げ具に吊り下げられる。第１輸液バッグ１２の下部側には、第１輸液剤Ｔ１を密閉する栓３２（図２Ａ参照）が設けられている。この第１輸液バッグ１２には、第１輸液剤Ｔ１を流通可能な第１輸液チューブ１６が接続される。一方、第２輸液バッグ１４には、第２輸液剤Ｔ２を流通可能な第２輸液チューブ１８が接続される。なお、第１又は第２輸液剤Ｔ１、Ｔ２の供給源は、上記の輸液バッグに限定されるものではなく、シリンジ、ボトル等の輸液剤を供給可能な種々の容器を採用し得る。
【００４２】
第１輸液チューブ１６は、可撓性を有する透明（又は半透明）な材料により形成され、第１輸液バッグ１２と患者間の距離よりも充分に長いものが選択される。第１輸液チューブ１６を構成する材料は、特に限定されないが、例えば、軟質ポリ塩化ビニル、エチレン−酢酸ビニル共重合体、ポリエチレン、ポリプロピレン、ポリブタジエン等、或いはこれらを主とする材料が挙げられる。
【００４３】
第１輸液チューブ１６は、第１輸液バッグ１２から患者に対して第１輸液剤Ｔ１を送液する流路を構成する。第１輸液チューブ１６は、送液の上流端に設けられるびん針３４（図２Ａ参照）と、流路の途中位置に設けられる３ポートコネクタ３６と、送液の下流端に設けられる第１コネクタ３８とを備える。３ポートコネクタ３６は、第１輸液チューブ１６を上流と下流のチューブに分割した間に接続され、第２輸液チューブ１８を接続可能なポートを有する。また、第１コネクタ３８は、輸液のために患者に穿刺及び留置される留置針４０に接続される。
【００４４】
一方、第２輸液チューブ１８は、第２輸液剤Ｔ２を送液する流路を構成し、送液の上流端に設けられるびん針３４（図２Ａ参照）と、送液の下流端に設けられる第２コネクタ４２とを備える。第２コネクタ４２は、第１輸液チューブ１６の３ポートコネクタ３６に接続され、これにより輸液ラインは、第１輸液剤Ｔ１と第２輸液剤Ｔ２を合流した状態で患者に投与を行う。
【００４５】
なお、具体的な図示は省略するものの、第１又は第２輸液チューブ１６、１８には、点滴筒、脱気モジュール、ローラークランプ、エアベントフィルター、スライドクランプ、コネクタ等の医療機器が設けられていてもよい。そして、これら医療機器に応じて、第１又は第２輸液チューブ１６、１８は複数のチューブを接続したものでもよい。また、輸液ライン識別システム１０は、第１輸液チューブ１６の途中位置に第２輸液チューブ１８が接続される構成に限定されず、第２輸液チューブ１８の第２コネクタ４２に留置針４０が接続されて、第１輸液剤Ｔ１とは別に第２輸液剤Ｔ２を患者に直接投与してもよい。
【００４６】
第１輸液チューブ１６に取り付けられる第１ポンプ２０は、第１輸液剤Ｔ１の送液速度（送液量）の制御を行う。この第１ポンプ２０は、３ポートコネクタ３６よりも上流側に取り付けられる。第１ポンプ２０は、筐体４４と、送液速度を表示する表示部４６と、取扱者が送液速度を調整可能な操作部４８とを有する。第１ポンプ２０は、取扱者によって設定された送液速度に基づき第１輸液剤Ｔ１の送液を行う。第１ポンプ２０は、筐体４４の上下を貫通するように第１輸液チューブ１６を収容し、筐体４４内において第１輸液チューブ１６の外周面を送液速度に基づきしごくことで、第１輸液チューブ１６内を流れる第１輸液剤Ｔ１の流動を促す。
【００４７】
また、第２ポンプ２２は、第２輸液チューブ１８上の所定位置に取り付けられ、第２輸液剤Ｔ２の送液速度（送液量）の制御を行う構成となっている。
【００４８】
輸液ラインにおいては、基本的に、第１ポンプ２０と第２ポンプ２２により、第１輸液剤Ｔ１と第２輸液剤Ｔ２の送液速度が異なるように設定される。そのため、第１輸液チューブ１６と第２輸液チューブ１８が混線等をおこしていても、第１輸液チューブ１６と第１ポンプ２０の接続、及び第２輸液チューブ１８と第２ポンプ２２の接続を確実に行う、つまり接続関係が正しいことが要求される。輸液ライン識別システム１０は、この接続関係を確実なものとするために第１及び第２識別デバイス２４、２６を設けている。
【００４９】
第１及び第２識別デバイス２４、２６は、無線通信によって識別情報を送受信可能なＲＦＩＤタグ（ＩＣタグ）を有している。そして、第１識別デバイス２４の識別情報と第２識別デバイス２６の識別情報とは、互いを識別可能な情報を含んでいる。
【００５０】
第１識別デバイス２４は、第１輸液バッグ１２と第１ポンプ２０間を繋ぐ第１輸液チューブ１６上に配置される。この第１識別デバイス２４は、上流側識別部材５０（第１識別体）と下流側識別部材５２（第２識別体）とにより構成され、これら上流側識別部材５０と下流側識別部材５２は互いに接続可能となっている。すなわち、第１識別デバイス２４は、最初に、上流側識別部材５０と下流側識別部材５２が互いに分離可能に接続されることで１つのデバイスとして第１輸液チューブ１６に取り付けられ（図２Ａ及び図２Ｂ参照）、後に分離する構成となっている。この上流側及び下流側識別部材５０、５２の相互接続は、嵌合構造や螺合構造、貼着構造等のように両者を適当な接続力で保持し得る種々の構造をとり得る。
【００５１】
図２Ａに示すように、上流側及び下流側識別部材５０、５２は、輸液ラインの構築前に第１輸液チューブ１６上に予め設けられている。例えば、上流側及び下流側識別部材５０、５２は、第１輸液チューブ１６を囲う比較的大きな挿通孔３２２（図１３Ａ参照）を有するリング状に形成されており、これにより第１輸液チューブ１６に沿って移動自在となる一方で、第１輸液チューブ１６の途中位置からの離脱が不能となる。つまり、上流側及び下流側識別部材５０、５２は、第１輸液バッグ１２及び第１ポンプ２０を第１輸液チューブ１６に取り付けた状態で、第１輸液バッグ１２と第１ポンプ２０間において第１輸液チューブ１６からの抜けが防止される。
【００５２】
上流側及び下流側識別部材５０、５２は、第１輸液チューブ１６の途上又は第１輸液バッグ１２の下部に留められるように係止部を有することが好ましい。例えば、係止部は、挿通孔３２２を囲う内周面に設けられ、第１輸液チューブ１６の流路を押し潰すことなく挟み込む一対の突起により構成することができる。
【００５３】
これら上流側識別部材５０と下流側識別部材５２には、上述したＲＦＩＤタグ５０ａ、５２ａが各々取り付けられており、個々に識別情報Ａ１、Ａ２を送受信することが可能となっている。識別情報Ａ１と識別情報Ａ２は、互いに関連した情報を有しており、元々相互接続されていたものであることを、第１ポンプ２０に判別させることができる。
【００５４】
上流側及び下流側識別部材５０、５２が保持する識別情報Ａ１、Ａ２としては、例えば、識別符号、第１輸液剤Ｔ１の名称等の第１輸液剤Ｔ１に関連するものが挙げられる。上流側識別部材５０と下流側識別部材５２は、互いの識別符号を異なる設定とし両者を区別するようにしてもよく、或いは全く同じ情報を持ってもよい。識別符号により上流側識別部材５０と下流側識別部材５２を区別する構成であれば、例えば、同じ部材から２回識別符号を読み取る誤りを防ぐことができる。これら識別情報Ａ１、Ａ２は、輸液ラインを構築する前、すなわち上流側識別部材５０と下流側識別部材５２が互いに接続されている状態で図示しない書込装置により予め埋め込まれる。
【００５５】
一方、第２識別デバイス２６は、第２輸液バッグ１４と第２ポンプ２２との間に介在する第２輸液チューブ１８上に配置され、第１識別デバイス２４と同様に、上流側識別部材５４と下流側識別部材５６とを有する。上流側識別部材５４と下流側識別部材５６にもＲＦＩＤタグ５４ａ、５６ａが取り付けられており、ＲＦＩＤタグ５４ａの識別情報Ｂ１とＲＦＩＤタグ５６ａの識別情報Ｂ２は、第１識別デバイス２４と区別可能であるとともに、互いに関連した情報（識別符号、第２輸液剤Ｔ２の名称等）を持っている。
【００５６】
なお、第１及び第２識別デバイス２５Ａ、２７Ａは、図３Ａに示す第１変形例のように、第１及び第２輸液チューブ１６、１８に対して着脱自在に構成されていてもよい。すなわち、第１変形例に係る輸液ライン識別システム１０Ａは、輸液ラインを先に構築し、その後に第１及び第２輸液チューブ１６、１８と第１及び第２ポンプ２０、２２の接続関係の一致を確認するために、第１及び第２識別デバイス２５Ａ、２７Ａを取り付けることができる。
【００５７】
第１識別デバイス２４の取付時には、上流側識別部材５０と下流側識別部材５２が一体化した状態となっており、取付後に両者を分離させ、上流側識別部材５０を第１輸液バッグ１２側に、下流側識別部材５２を第１ポンプ２０側に移動する。このように着脱自在な構成とすると、混線等が生じている複数の輸液チューブに対し、第１及び第２識別デバイス２５Ａ、２７Ａを簡単に適用することができ、第１輸液チューブ１６と第２輸液チューブ１８を良好に識別することができる。
【００５８】
また、図３Ｂに示す第２変形例に係る輸液ライン識別システム１０Ｂのように、第１識別デバイス２５Ｂの一方の部材（上流側識別部材５０）を第１輸液バッグ１２の栓３２や第１輸液チューブ１６のびん針３４に固定した構成としてもよい。勿論、第２識別デバイス２７Ｂも同様の構成とすることができる。すなわち、輸液ラインの構築時には、固定側の上流側識別部材５０（第２識別体）に対して下流側識別部材５２（第１識別体）を分離して第１輸液チューブ１６の下流側に移動していく。これにより、識別部材の一方のみを移動させることができるので、操作が容易となり輸液ライン構築時の作業効率が向上する。
【００５９】
図１に戻り、輸液ライン識別システム１０は、第１識別デバイス２４の識別情報を第１ポンプ２０に有線接続された第１読取装置２８によって読み取る構成となっている。第１読取装置２８は、上流側識別部材５０、下流側識別部材５２を無線通信（近距離通信）によって個々に読み取る無線読取部５８（図４参照）を有する。また。第１読取装置２８は、無線読取部５８が読み取った識別情報Ａ１、Ａ２を第１ポンプ２０に自動送信する構成となっている。一方、第２識別デバイス２６の識別情報Ｂ１、Ｂ２は、第２ポンプ２２に有線接続された第２読取装置３０によって読み取る構成となっている。なお、第１及び第２読取装置２８、３０と第１及び第２ポンプ２０、２２との接続は、有線に限定されず無線であってもよい。
【００６０】
図４に示すように、第１ポンプ２０は、図示しない演算処理部、記憶部、入出力部によって機能する情報取得部６０、読取回数カウント部６２、判別部６４、報知部６６及びポンプ駆動制御部６８を有する。
【００６１】
情報取得部６０は、第１読取装置２８を駆動し、この第１読取装置２８を介して第１識別デバイス２４（上流側及び下流側識別部材５０、５２）の識別情報Ａ１、Ａ２を取得する。この際、情報取得部６０は、識別符号、第１輸液剤Ｔ１の名称を相互に紐付けつつ、上流側及び下流側識別部材５０、５２毎に分けて各識別情報Ａ１、Ａ２を保存する。
【００６２】
読取回数カウント部６２は、第１識別デバイス２４を構成する識別部材の個数に応じた読取回数（すなわち上流側及び下流側識別部材５０、５２に応じて２回）を設定する。そして、読取回数カウント部６２は、輸液ラインの構築時に、第１読取装置２８が識別情報Ａ１、Ａ２を読み取る回数をカウントする。
【００６３】
判別部６４は、所定の処理フローに基づき、情報取得部６０が保存した識別情報Ａ１、Ａ２を読み出して、これら識別情報Ａ１と識別情報Ａ２の一致を判別する。ここで、識別情報Ａ１、Ａ２が全く同じ内容の場合は、識別情報Ａ１、Ａ２に含まれる複数の情報（識別符号、第１輸液剤Ｔ１の名称）のうちいずれかの情報の一致を判別すればよい。或いは、情報の確度を高めるために、複数の情報の一致を各々判別してもよい。また、上流側識別部材５０の識別符号と下流側識別部材５２の識別符号が異なる場合は、第１輸液剤Ｔ１の名称の一致を判別する。輸液剤の名称に基づく判別方法は、複数種類の輸液剤（第１輸液剤Ｔ１と第２輸液剤Ｔ２）を確実に区別できる点でも有効である。
【００６４】
判別部６４は、識別情報Ａ１、Ａ２が一致の場合、第１輸液チューブ１６と第１ポンプ２０が正常に接続されていると判別し、識別情報Ａ１、Ａ２が不一致の場合、第１輸液チューブ１６と第１ポンプ２０が誤接続されていると判別する。そして、この判別結果に基づき報知部６６を動作させる。
【００６５】
報知部６６は、判別部６４の判別結果に基づき、取扱者に対し輸液ラインの接続が正常又は異常である旨の報知を行う。第１ポンプ２０が行う報知方法としては、音（音声を含む）や画像（発光体の点滅を含む）等を挙げることができる。
【００６６】
ポンプ駆動制御部６８は、第１輸液チューブ１６をしごく機構（図示せず）を制御する。このポンプ駆動制御部６８は、判別部６４の判別結果が正常であることに基づき、操作部４８において調整された送液速度で第１輸液剤Ｔ１の送液を実施する。
【００６７】
また、第１ポンプ２０は、上記の構成以外にも種々の機能を有してよいことは勿論である。例えば、第１ポンプ２０は、取扱者が第１ポンプ２０や第１読取部を操作する際に、音声により操作手順（識別情報Ａ１、Ａ２の読み取り等）をガイドする音声ガイド部７０を備えていてもよい。
【００６８】
一方、第２ポンプ２２も、第１ポンプ２０と同一の構成を内部に有しており、第２輸液チューブ１８と第２ポンプ２２の接続の正常又は異常を判別することができる。また、第１ポンプ２０と第２ポンプ２２は、互いが情報通信可能に接続されてもよく、一方の識別情報が不一致の際に、他方のポンプ駆動制御部６８の動作を禁止する等の措置をとるようにしてもよい。
【００６９】
第１実施形態に係る輸液ライン識別システム１０は、基本的には以上のように使用されるものであり、以下に、輸液ライン構築時の作業手順及び第１ポンプ２０の処理フローに基づき作用効果を説明する。
【００７０】
図２Ａに示すように、第１及び第２輸液バッグ１２、１４、第１及び第２輸液チューブ１６、１８、第１及び第２ポンプ２０、２２は、輸液ラインに使用される前は別々に分離して保管されている。第１及び第２輸液チューブ１６、１８は、上述した医療機器（点滴筒、脱気モジュール、ローラークランプ、エアベントフィルター、スライドクランプ、コネクタ等）が適宜取り付けられた多数のチューブの中から選択される。第１及び第２識別デバイス２４、２６は、上記の医療機器と同様に、第１及び第２輸液チューブ１６、１８の各々に予め取り付けられていることが好ましい。これにより、輸液ラインの構築作業の効率化を図ることができる。また、この取付状態では、第１及び第２識別デバイス２４、２６の上流側識別部材５０、５４と下流側識別部材５２、５６が一体化している。
【００７１】
患者に対し第１及び第２輸液剤Ｔ１、Ｔ２の投与が必要になると、取扱者は、第１輸液剤Ｔ１を収納している第１輸液バッグ１２、第２輸液剤Ｔ２を収容している第２輸液バッグ１４を選択し、さらに第１及び第２輸液剤Ｔ１、Ｔ２の送液に必要な医療機器が取り付けられた第１及び第２輸液チューブ１６、１８を選択する。そして、取扱者は、病院内の準備室（例えば、ナースセンター）に設けられた書込装置により、選択した第１輸液チューブ１６の第１識別デバイス２４に対し第１輸液剤Ｔ１に関する識別情報の書き込みを行う。この際、上流側識別部材５０と下流側識別部材５２が同じ識別情報を有する構成であれば、互いが近接していることで、書込装置の書込みを同時に行うことができる。同様に、選択した第２輸液チューブ１８の第２識別デバイス２６にも第２輸液剤Ｔ２に関する識別情報の書き込みを行う。
【００７２】
次に、第１輸液バッグ１２の栓３２に第１輸液チューブ１６のびん針３４を穿刺して、第１輸液バッグ１２と第１輸液チューブ１６の接続を行い、第１輸液チューブ１６内を第１輸液剤Ｔ１で満たすプライミングを行う。同様に、第２輸液バッグ１４と第２輸液チューブ１８の接続を行い、第２輸液チューブ１８内を第２輸液剤Ｔ２で満たすプライミングを行う。そして、第１輸液チューブ１６の３ポートコネクタ３６に対し第２輸液チューブ１８の第２コネクタ４２を接続するとともに、患者に穿刺された留置針４０に対し第１コネクタ３８を接続する。
【００７３】
その後、患者の病室内に用意した第１ポンプ２０を第１輸液チューブ１６の所定位置に取り付け、同じく第２ポンプ２２を第２輸液チューブ１８の所定位置に取り付ける。これにより、図２Ｂに示すように、第１及び第２輸液バッグ１２、１４から患者まで流路が連通し、第１及び第２輸液剤Ｔ１、Ｔ２を患者に投与可能な輸液ラインが構築される。
【００７４】
輸液ラインの構築後は、図２Ｃに示すように、第１識別デバイス２４の上流側識別部材５０と下流側識別部材５２を分離する。そして、上流側識別部材５０を第１輸液チューブ１６に沿って第１輸液バッグ１２側に移動し、第１輸液バッグ１２やその近傍位置（例えば、第１輸液バッグ１２の栓３２、第１輸液チューブ１６のびん針３４等）に上流側識別部材５０を固定する。また、下流側識別部材５２を第１輸液チューブ１６に沿って第１ポンプ２０側に移動し、第１ポンプ２０の上部に固定する。
【００７５】
同様に、第２識別デバイス２６でも、上流側識別部材５４と下流側識別部材５６を分離して、上流側識別部材５４を第２輸液バッグ１４付近に、下流側識別部材５６を第２ポンプ２２の上部にそれぞれ固定する。従って、取扱者は、各識別部材の移動にともない第１輸液チューブ１６と第２輸液チューブ１８を分別して、第１輸液チューブ１６と第２輸液チューブ１８の接続関係を良好に認識することができる。
【００７６】
輸液ライン識別システム１０は、上流側識別部材５０、５４、下流側識別部材５２、５６の固定後に、第１及び第２読取装置２８、３０による識別情報Ａ１、Ａ２、Ｂ１、Ｂ２の読み取りを実施し、輸液ラインが正常に構築されたか否かの判別を行う。以下、図５に基づき、第１ポンプ２０の処理フローについて代表的に説明していく。
【００７７】
第１ポンプ２０は、取扱者により起動されると、第１ポンプ２０に対する輸液チューブの接続を確認する（ステップＳ１０）。この確認後に第１読取装置２８からの識別情報を受信可能な待機状態となって、識別情報を読み取ったか否かを判別する（ステップＳ１１）。そして、第１読取装置２８が上流側識別部材５０（又は下流側識別部材５２）から識別情報Ａ１を読み取ると、第１読取装置２８から識別情報Ａ１が送信され、情報取得部６０によりその識別情報Ａ１を保存する（ステップＳ１２）。
【００７８】
また、識別情報Ａ１の取得にともない読取回数カウント部６２は、識別情報の読取回数をカウントする（ステップＳ１３）。第１ポンプ２０は、読取回数カウント部６２の読取回数を判別し、すなわち、上流側識別部材５０と下流側識別部材５２の双方から識別情報Ａ１、Ａ２を各々読み取るようにステップＳ１１〜Ｓ１３を繰り返させ、２回読み取りがなされると、識別情報の読取の終了を判定する（ステップＳ１４）。
【００７９】
次に、判別部６４は、情報取得部６０に保存された２つの識別情報の一致を判別する（ステップＳ１５）。
【００８０】
ステップＳ１５において、識別情報が一致していると判別すると、第１ポンプ２０は、第１輸液チューブ１６が第１輸液バッグ１２に接続されていると特定できるので、第１輸液剤Ｔ１を送液可能とする（ステップＳ１６）。その後、取扱者により第１輸液剤Ｔ１の送液速度の設定がなされると（ステップＳ１７）、ポンプ駆動制御部６８の制御下に第１輸液剤Ｔ１の送液を行う（ステップＳ１８）。
【００８１】
一方、ステップＳ１５において、識別情報の不一致と判別すると、ステップＳ１９に進む。識別情報が不一致の場合とは、第１ポンプ２０に対し第１輸液チューブ１６以外のチューブ（第２輸液チューブ１８）が接続されていることになるため、ステップＳ１９では、その旨（輸液ラインの接続異常）のエラーを報知部６６により報知する。すなわち、取扱者は、輸液チューブの交換（接続の見直し）が促されることになり、報知後、第１ポンプ２０側は、再びステップＳ１０の判別処理を繰り返すように動作する。
【００８２】
以上の処理フローは、第２ポンプ２２及び第２識別デバイス２６の間でも実施され、これにより第１輸液バッグ１２と第１ポンプ２０、第２輸液バッグ１４と第２ポンプ２２の接続関係が正しいことを確実に識別することができる。
【００８３】
なお、輸液ライン識別システム１０は、上記の構成や使用方法に限定されるものではなく種々の応用例や変形例をとり得る。例えば、第１及び第２識別デバイス２４、２６は、ＲＦＩＤタグ５０ａ、５２ａ、５４ａ、５６ａにより識別情報を送信するものに限らず、第１識別デバイス２４と第２識別デバイス２６間では異なる識別符号であり、上流側識別部材５０と下流側識別部材５２間では同じ識別符号であるバーコードが貼り付けられていてもよい。この場合、第１及び第２読取装置２８、３０はバーコードリーダであり、第１及び第２ポンプ２０、２２は、上流側識別部材５０と下流側識別部材５２の識別符号の一致又は不一致を判別することなる。
【００８４】
或いは、輸液ライン識別システム１０は、図２Ａ〜図２Ｃに示す手順によらず、第１及び第２輸液チューブ１６、１８に対し第１及び第２ポンプ２０、２２の取付前に、上流側識別部材５０と下流側識別部材５２を分離する作業を行ってもよい。すなわち、下流側識別部材５２を第１及び第２ポンプ２０、２２の取付位置まで移動することにより、これら下流側識別部材５２を目印にして第１及び第２ポンプ２０、２２を取り付けるようにしてもよい。
【００８５】
よって、第１及び第２識別デバイス２４、２６は、取扱者が目視により確認できるように、その表示（色や記号等）を異ならせることで、互いが識別可能となっていることが望ましい。そして、このように第１及び第２識別デバイス２４、２６を構成した場合には、ＲＦＩＤタグ５０ａ、５２ａ、５４ａ、５６ａによる識別情報Ａ１、Ａ２、Ｂ１、Ｂ２の送受信を実施しなくても、取扱者に対し第１輸液チューブ１６と第２輸液チューブ１８を直接的に識別させることができる。例えば、第１識別デバイス２４（上流側識別部材５０及び下流側識別部材５２）の表面の色を青色として第１輸液チューブ１６上を移動させ、第２識別デバイス２６（上流側識別部材５４及び下流側識別部材５６）の表面の色を緑色として第２輸液チューブ１８上を移動させる。これにより第１輸液バッグ１２と第１ポンプ２０の付近に青色の識別部材が存在し、第２輸液バッグ１４と第２ポンプ２２の付近に緑色の識別部材が存在することになる。要するに、第１及び第２識別デバイス２４、２６が有する互いを区別し得る「識別情報」とは、電子的な識別情報やバーコード等の識別符号を用いたものに限定されるものではなく、取扱者が五感によって認識し得る種々の情報を含む。
【００８６】
また、上述のように輸液ラインが第１及び第２輸液チューブ１６、１８の２つで構成される場合は、識別デバイスを２つ使用しなくてもよく、例えば、第１輸液チューブ１６に第１識別デバイス２４を設けるだけでもよい。第２輸液チューブ１８は、識別デバイスがないことにより第１輸液チューブ１６と区別できるからである。よって、輸液チューブがＮ本接続される場合、識別デバイスをＮ−１個用意すればよい。
【００８７】
さらに、第１及び第２識別デバイス２４、２６は、分離可能な２つの識別部材（上流側識別部材５０、５４、下流側識別部材５２、５６）に限定されず、３以上の識別部材によって構成されてもよい。例えば、上流側識別部材５０、５４、下流側識別部材５２、５６の他に、その間に中間識別部材（図示せず）を配する構成とし、第１輸液チューブ１６と第２輸液チューブ１８の識別性を高めてもよい。この場合、第１輸液チューブ１６の中間識別部材と第２輸液チューブ１８の中間識別部材とを並列に接続可能な構成とし、複数の輸液チューブの混線を整理する構成としてもよい。
【００８８】
以上のように、第１実施形態に係る輸液ライン識別システム１０によれば、第１輸液チューブ１６上を移動自在に配置され、第２輸液チューブ１８と区別可能な識別情報Ａ１を有する上流側識別部材５０と、上流側識別部材５０に関連した識別情報Ａ２を有し上流側識別部材５０と分離可能に接続される下流側識別部材５２とを備えるという簡単な構成によって、第２輸液チューブ１８に対し第１輸液チューブ１６を識別することができる。すなわち、取扱者は、上流側識別部材５０と下流側識別部材５２を接続した状態で第１輸液チューブ１６に配置し、その後に上流側識別部材５０と下流側識別部材５２を分離して、第１輸液チューブ１６に沿って上流側識別部材５０と下流側識別部材５２を移動していくことができる。その結果、使用者は、複数の輸液チューブが混線していても、互いに離間した上流側識別部材５０と下流側識別部材５２により第１輸液チューブ１６を正確に識別することができ、これにより輸液剤の誤投与を防ぐことができる。
【００８９】
また、輸液ライン識別システム１０は、第１読取装置２８が読み取った２つの識別情報の一致を判別部６４が判別する構成となっていることで、人為的ミスを減らすことができる。
【００９０】
さらに、輸液ラインを構築した状態では、上流側及び下流側識別部材５０、５２が第１輸液チューブ１６に離脱不能に取り付けられていることで、第１輸液チューブ１６に沿って上流側及び下流側識別部材５０、５２を確実に移動させることができるので、第１輸液チューブ１６の識別をより確実に行うことが可能となる。
【００９１】
またさらに、判別部６４が第１ポンプ２０に設けられることで、第１ポンプ２０において第１輸液チューブ１６の接続状態を判別することができる。従って、輸液ラインの構築時に、輸液チューブの誤接続を医療現場にて直ぐに認識して、輸液チューブの接続を修正することができる。この場合、第１読取装置２８が第１ポンプ２０に接続されるコンパクトな構成をとると尚よい。
【００９２】
なお、本発明に係る輸液ライン識別システム１０は、上記の第１実施形態に限定されるものでなく、種々の実施形態をとり得る。以下、他の実施形態に係る輸液ライン識別システム１０をいくつか説明していくが、第１実施形態に係る輸液ライン識別システム１０と同一の構成又は同一の機能を有する構成については、同一の符号を付しその詳細な説明については省略するものとする。
【００９３】
〔第２実施形態〕
第２実施形態に係る輸液ライン識別システム１００は、図６に示すように、患者の医療情報を管理するために構築される病院情報システム１０２（Ｈｏｓｐｉｔａｌ  Ｉｎｆｏｒｍａｔｉｏｎ  Ｓｙｓｔｅｍ：以下、ＨＩＳ１０２という）と連動するように構成される点で、第１実施形態に係る輸液ライン識別システム１０と異なる。
【００９４】
ＨＩＳ１０２は、病院内全体の情報を管理する管理サーバ１０４を有し、この管理サーバ１０４は病院内に設置される多数の端末（例えば、取扱者端末１０６）にＬＡＮ等を介して接続されている。また、管理サーバ１０４は、第１及び第２ポンプ２０、２２にも情報通信（無線通信又は有線通信）可能に接続されている。
【００９５】
管理サーバ１０４は、患者に投与する第１及び第２輸液剤Ｔ１、Ｔ２を管理する機能を有しており、第２実施形態に係る輸液ライン識別システム１００は、第１及び第２輸液剤Ｔ１、Ｔ２の投与を医療現場での設定とともに、管理サーバ１０４の指示に基づき行う構成となっている。管理サーバ１０４は、輸液ライン識別システム１００に関連する構成として、患者ＤＢ１０８、輸液剤ＤＢ１１０、設定速度判別部１１２ａ、許容速度判別部１１２ｂを一体的に備えるシステム制御部１１２、識別情報生成部１１４、輸液剤設定部１１６及びサーバ側送受信部１１８を有する。
【００９６】
患者ＤＢ１０８には、治療を受けている患者の患者情報Ｃを登録した電子カルテ１２０が個別に保存されている。患者情報Ｃとしては、氏名、年齢、性別、病名、治療情報（例えば、治療経過や医師の所見）、輸液剤投与履歴等が挙げられる。
【００９７】
輸液剤ＤＢ１１０には、患者の輸液に用いられる輸液剤の情報（輸液剤情報Ｄ）が個別に保存されている。輸液剤情報Ｄとしては、例えば、輸液剤の名称、貯留量、投与可能な病気、病院内での管理数、速度範囲情報Ｓが挙げられる。速度範囲情報Ｓとは、輸液剤を投与する際の送液速度の上限値又は下限値（すなわち、許容されている送液速度）であり、輸液剤毎に設定される。
【００９８】
システム制御部１１２は、患者ＤＢ１０８及び輸液剤ＤＢ１１０を適宜管理し、取扱者端末１０６からの指示に基づき、患者ＤＢ１０８内を検索して電子カルテ１２０（患者情報Ｃ）を提供し、又輸液剤ＤＢ１１０内を検索して輸液剤情報Ｄを提供する。取扱者端末１０６は、この提供された情報に対して更新（新規事項の追加や内容の修正等）を行うことができる。すなわち、医師は、患者の電子カルテ１２０と輸液剤情報Ｄを用いることで、ＨＩＳ１０２上において、第１及び第２輸液剤Ｔ１、Ｔ２を患者に投与する指示を行うことができる。また、システム制御部１１２は、患者に投与する輸液剤の送液速度の判別を行う機能を有している。この判別機能については、後の処理フローの説明において詳述する。
【００９９】
識別情報生成部１１４は、システム制御部１１２の指示に基づき、第１及び第２識別デバイス２４、２６に設定する第１及び第２輸液剤Ｔ１、Ｔ２の識別情報Ａ１、Ａ２、Ｂ１、Ｂ２を生成し、書込装置１２２にこの識別情報Ａ１、Ａ２、Ｂ１、Ｂ２を送信する機能を有する。識別情報Ａ１、Ａ２、Ｂ１、Ｂ２には、第１及び第２輸液剤Ｔ１、Ｔ２の名称が含まれ、この名称に紐付けられるように識別符号が付与される。また、書込装置１２２は、識別情報を発信する書込部１２４を備え、取扱者の操作に基づき、生成された第１及び第２輸液剤Ｔ１、Ｔ２の識別情報Ａ１、Ａ２、Ｂ１、Ｂ２を第１及び第２識別デバイス２４、２６に各々書き込むことができる。
【０１００】
輸液剤設定部１１６は、患者に投与される第１及び第２輸液剤Ｔ１、Ｔ２について、その送液速度を設定する機能を有している。医師は、所定の輸液剤を患者に投与すると判断した際に、取扱者端末１０６から患者情報Ｃと輸液剤情報Ｄを関連付けするとともに、第１輸液剤Ｔ１の送液速度及び第２輸液剤Ｔ２の送液速度を設定する。輸液剤設定部１１６は、医師により設定された患者に対する第１及び第２輸液剤Ｔ１、Ｔ２の送液速度をそれぞれ指示速度情報Ｅとして保存する。
【０１０１】
サーバ側送受信部１１８は、第１及び第２ポンプ２０、２２、取扱者端末１０６、書込装置１２２との間で情報通信を行う機能を有している。管理サーバ１０４は、このサーバ側送受信部１１８により、患者に投与する第１及び第２輸液剤Ｔ１、Ｔ２の情報として送液速度の情報（以下、設定速度情報Ｆという）を第１及び第２ポンプ２０、２２から受け取ることが可能となっている。また、管理サーバ１０４は、サーバ側送受信部１１８を介して第１及び第２ポンプ２０、２２に制御指示信号を送り、例えば、輸液剤の送液の許可又は禁止を指示することができる。
【０１０２】
第１及び第２ポンプ２０、２２（以下、第１ポンプ２０を代表的に説明する）は、第１実施形態で挙げた構成以外に、送液速度設定部１２６、ポンプ側送受信部１２８を有する。送液速度設定部１２６は、第１ポンプ２０の操作部４８により（すなわち医療現場で）調整された送液速度を、設定速度情報Ｆとして設定保存する機能を有する。ポンプ側送受信部１２８は、管理サーバ１０４との間で自動的に情報通信を行う機能を有し、例えば設定速度情報Ｆを送信する、又は管理サーバ１０４の制御指示信号を受信することが可能となっている。
【０１０３】
第２実施形態に係る輸液ライン識別システム１００は、基本的には以上のように構成されるものであり、以下、管理サーバ１０４が行う処理フローについて、図７に基づき説明する。
【０１０４】
輸液ライン構築前の準備段階において、管理サーバ１０４（システム制御部１１２）は、取扱者端末１０６からの電子カルテ１２０の提供要求に基づき、患者ＤＢ１０８内を検索して患者の電子カルテ１２０を読み出し、この電子カルテ１２０を取扱者端末１０６に送信する（ステップＳ２０）。また、管理サーバ１０４は、取扱者端末１０６からの指示に基づき、輸液剤ＤＢ１１０内を検索して第１及び第２輸液剤Ｔ１、Ｔ２の輸液剤情報Ｄを読み出し、先に読み出した電子カルテ１２０に対し輸液剤情報Ｄを関連付けする（ステップＳ２１）。この際、医師により第１及び第２輸液剤Ｔ１、Ｔ２の指示速度情報Ｅが設定され、輸液剤設定部１１６により保存される。
【０１０５】
次に、識別情報生成部１１４は、第１及び第２識別デバイス２４、２６に書き込む識別情報Ａ１、Ａ２、Ｂ１、Ｂ２を生成し（ステップＳ２２）、この識別情報Ａ１、Ａ２、Ｂ１、Ｂ２を書込装置１２２に送信する（ステップＳ２３）。これにより、輸液ライン構築前の管理サーバ１０４側での処理が終了する。
【０１０６】
その後は、取扱者によって患者の輸液ラインが構築される。すなわち、第１実施形態で説明した第１輸液バッグ１２、第１輸液チューブ１６及び第１ポンプ２０の接続と、第２輸液バッグ１４、第２輸液チューブ１８及び第２ポンプ２２の接続がなされる。また、第１及び第２識別デバイス２４、２６を用いて、第１及び第２ポンプ２０、２２側で処理フローのステップＳ１５までが実施され、第１輸液チューブ１６と第１ポンプ２０、第２輸液チューブ１８と第２ポンプ２２の接続関係が正常であることが判別される。
【０１０７】
この間、管理サーバ１０４は、待機状態となって、第１及び第２ポンプ２０、２２からの輸液ラインが正常に識別された旨の情報の受信を判別する（ステップＳ２４）。そして、第１及び第２ポンプ２０、２２側では、取扱者により第１及び第２輸液剤Ｔ１、Ｔ２の送液速度の調整がなされ、ポンプ側送受信部１２８により設定速度情報Ｆが送信される。管理サーバ１０４は、第１及び第２ポンプ２０、２２からの第１及び第２輸液剤Ｔ１、Ｔ２の設定速度情報Ｆの受信を判別し（ステップＳ２５）、設定速度情報Ｆを受信するとステップＳ２６に進む。
【０１０８】
そして、ステップＳ２６において、システム制御部１１２は、受信した第１及び第２輸液剤Ｔ１、Ｔ２の設定速度情報Ｆと、輸液剤ＤＢ１１０内に保存されている輸液剤情報Ｄの速度範囲情報Ｓとの比較を行い、設定速度情報Ｆが速度範囲以内であるか否かを判別する。設定速度情報Ｆが速度範囲外である場合は、取扱者による送液速度の設定ミスか、或いは投与する輸液剤自体を誤認している可能性があるため、ステップＳ２７に進み、サーバ側送受信部１１８により設定エラーの情報を第１又は第２ポンプ２０、２２に送信する。第１又は第２ポンプ２０、２２は、設定エラーの情報を受信すると、ポンプ駆動制御部６８の駆動を禁止する。このステップＳ２７の後、管理サーバ１０４は、ステップＳ２５に戻り、設定速度情報Ｆを再受信する状態となる。
【０１０９】
一方、設定速度情報Ｆが速度範囲内である場合は、ステップＳ２８において、受信した第１及び第２輸液剤Ｔ１、Ｔ２の設定速度情報Ｆと、輸液剤設定部１１６において保存されている第１及び第２輸液剤Ｔ１、Ｔ２の指示速度情報Ｅとの一致を判別する。設定速度情報Ｆと指示速度情報Ｅが不一致の場合は、取扱者による送液速度の設定ミスの可能性があるため、上記のステップＳ２７に進み、サーバ側送受信部１１８により設定エラーの情報を第１又は第２ポンプ２０、２２に送信し、設定速度情報Ｆを再受信する状態となる。
【０１１０】
設定速度情報Ｆと指示速度情報Ｅが一致している場合は、ステップＳ２９において、輸液剤の送液の実施を許可する指示を第１及び第２ポンプ２０、２２に送信する。これにより、第１及び第２ポンプ２０、２２は、それぞれ第１及び第２輸液剤Ｔ１、Ｔ２の送液が可能となり、患者に対し第１及び第２輸液剤Ｔ１、Ｔ２の投与を実施する。
【０１１１】
以上のように、第２実施形態に係る輸液ライン識別システム１００は、ＨＩＳ１０２と連動することにより、患者に投与する輸液剤をより精度よく管理することができる。すなわち、管理サーバ１０４のシステム制御部１１２が、輸液剤の指示速度情報Ｅと設定速度情報Ｆの一致を判別することで、輸液剤の送液速度の設定状態を確認することができ、医療現場における送液速度の設定ミス等を防ぐことが可能となる。
【０１１２】
さらに、システム制御部１１２は、設定速度情報Ｆと、内部に保持する輸液剤の送液速度の上限値又は下限値を予め設定した速度範囲情報Ｓとを判別することで、輸液剤の許容速度を越えて該輸液剤を患者に投与してしまうことを防ぐことができる。
【０１１３】
なお、第２実施形態に係る輸液ライン識別システム１００の変形例として、例えば、管理サーバ１０４は、第１及び第２ポンプ２０、２２から輸液ラインが正常と識別された旨の情報を受信すると、輸液剤設定部１１６が保存している第１及び第２輸液剤Ｔ１、Ｔ２の指示速度情報Ｅを読み出し、第１及び第２ポンプ２０、２２に対し指示速度情報Ｅをそれぞれ送信する構成としてもよい。第１及び第２ポンプ２０、２２は、この指示速度情報Ｅに基づき送液速度を自動設定し、ポンプ駆動制御部６８の制御を行うことができる。
【０１１４】
〔第３実施形態〕
第３実施形態に係る輸液ライン識別システム２００は、図８Ａ、図８Ｂ及び図９に示すように、第１及び第２識別デバイス２４、２６の他に、第１及び第２輸液剤識別部材２０２、２０４（第３識別体）を第１及び第２輸液バッグ１２、１４に各々取り付けるとともに、患者識別部材２０６（第４識別体）を患者に取り付ける構成となっている点で、第１及び第２実施形態に係る輸液ライン識別システム１０、１００と異なる。
【０１１５】
第１輸液剤識別部材２０２は、第１輸液剤Ｔ１に関する第１輸液剤情報Ｄ１（例えば、識別符号、輸液剤の名称）を有したＲＦＩＤタグ２０２ａを備える。同様に、第２輸液剤識別部材２０４は、第２輸液剤Ｔ２に関する第２輸液剤情報Ｄ２を有したＲＦＩＤタグ２０４ａを備える。一方、患者識別部材２０６は、管理サーバ２１６が管理する患者の電子カルテ１２０の識別符号（以下、患者コードＧという）を有したＲＦＩＤタグ２０６ａを備える。
【０１１６】
また、読取装置２０８は、第１ポンプ２０や第２ポンプ２２に接続されていない独立した装置となっており、管理サーバ２１６との間で情報通信する構成となっている。この読取装置２０８は、第１識別デバイス２４の上流側識別部材５０と下流側識別部材５２、第２識別デバイス２６の上流側識別部材５４と下流側識別部材５６、第１輸液剤識別部材２０２、第２輸液剤識別部材２０４及び患者識別部材２０６を全て読み取る無線読取部２１０を有し、読取装置２０８が読み取った各情報は、管理サーバ２１６に自動送信され管理サーバ２１６において所定の処理がなされる。
【０１１７】
管理サーバ２１６は、第２実施形態と異なる構成として、輸液剤情報Ｄ（第１及び第２輸液剤情報Ｄ１、Ｄ２）を生成する輸液剤情報生成部２１２、書込装置１２２が書き込むための患者コードＧを生成する患者コード生成部２１４を有する。また、第１及び第２ポンプ２０、２２は、基本的に第２実施形態に係る第１及び第２ポンプ２０、２２と同様の構成を有する。以下、第３実施形態に係る管理サーバ２１６が行う処理フローについて、図１０に基づき説明していく。
【０１１８】
輸液ライン識別システム２００は、輸液ライン構築前の準備段階において、第２実施形態に示すステップＳ２０及びＳ２１のフローと同様の処理がなされる。その結果、管理サーバ２１６は、識別情報生成部１１４により識別情報Ａ１、Ａ２、Ｂ１、Ｂ２を生成し、輸液剤情報生成部２１２により第１及び第２輸液剤情報Ｄ１、Ｄ２を生成し、患者コード生成部２１４により患者コードＧを生成する（ステップＳ３０）。これら各情報は書込装置１２２に送信されて、取扱者により第１及び第２識別デバイス２４、２６に対し識別情報Ａ１、Ａ２、Ｂ１、Ｂ２が書き込まれ、第１及び第２輸液剤識別部材２０２、２０４に対し第１及び第２輸液剤情報Ｄ１、Ｄ２が書き込まれ、患者識別部材２０６に対し患者コードＧが書き込まれる。この書込時には、第１輸液バッグ１２に第１輸液チューブ１６が接続され、第２輸液バッグ１４に第２輸液チューブ１８が接続された状態となっていることが望ましい。
【０１１９】
そして、管理サーバ２１６は、医療現場で輸液ラインを構築する段階になると、先ず読取装置２０８から患者コードＧを受信し（ステップＳ３１）、この患者コードＧに基づき患者ＤＢ１０８から患者の電子カルテ１２０を読み出す（ステップＳ３２）。すなわち、医療現場側では、取扱者が読取装置２０８を患者識別部材２０６に近接することにより患者コードＧを取得する。
【０１２０】
次に、管理サーバ２１６は、読取装置２０８から輸液ラインに用いられている第１及び第２輸液剤Ｔ１、Ｔ２の輸液剤情報を受信し（ステップＳ３３）、受信した輸液剤情報と、読み出した患者の電子カルテ１２０に設定（関連付け）されている第１及び第２輸液剤情報Ｄ１、Ｄ２との一致を判別する（ステップＳ３４）。すなわち、医療現場側では、取扱者が読取装置２０８を第１及び第２輸液バッグ１２、１４にそれぞれ近接することにより、輸液剤情報を取得する。
【０１２１】
ここで、受信した輸液剤情報と、電子カルテ１２０に関連付けされている第１及び第２輸液剤情報Ｄ１、Ｄ２とが不一致の場合は、輸液剤を投与する患者が間違っている、又は投与する輸液剤が間違っていることになるため、その旨を知らせる選択エラーの情報を第１又は第２ポンプ２０、２２、或いは読取装置２０８に送信する（ステップＳ３５）。第１又は第２ポンプ２０、２２、或いは読取装置２０８は、選択エラーの情報を受信すると、報知部６６によりアラーム等の報知を行う。このステップＳ３５の後、管理サーバ２１６は、ステップＳ３１に戻り、患者コードＧと輸液剤情報を再受信する状態となる。
【０１２２】
一方、受信した輸液剤情報と、電子カルテ１２０に設定されている第１及び第２輸液剤情報Ｄ１、Ｄ２とが一致している場合、管理サーバ２１６は、第１識別デバイス２４（又は第２識別デバイス２６：以下、代表的に第１識別デバイス２４を説明する）の識別情報Ａ１、Ａ２を読み取る指示信号を読取装置２０８に通知する（ステップＳ３６）。その後、システム制御部１１２は、上流側及び下流側識別部材５０、５２のうち一方の識別情報の読み取りを判別し（ステップＳ３７）、さらに、上流側及び下流側識別部材５０、５２のうち他方の識別情報の読み取りを判別する（ステップＳ３８）。
【０１２３】
ステップＳ３８の後、システム制御部１１２は、読み取った２つの識別情報の一致を判別する（ステップＳ３９）。これらの識別情報が不一致の場合は、第１ポンプ２０と第１輸液チューブ１６の接続ミスと判別して、ステップＳ４０において、その旨（輸液ラインの接続異常）の接続エラー情報を第１ポンプ２０に通知する。第１ポンプ２０は、この接続エラー情報を受信すると、報知部６６によりアラーム等の報知を行う。取扱者は、輸液チューブの交換（接続の見直し）が促されることになり、報知後、管理サーバ２１６は、再びステップＳ３６から判別処理を繰り返すように動作する。
【０１２４】
一方、ステップＳ３９において識別情報が一致の場合、システム制御部１１２は、第１輸液チューブ１６が第１輸液バッグ１２に接続されていると判定し、第１ポンプ２０に対し第１輸液剤Ｔ１の送液を可能とする許可信号を送信する（ステップＳ４１）。これにより、輸液ラインは第１輸液剤Ｔ１の送液を開始する。
【０１２５】
なお、管理サーバ２１６は、ステップ３９の後、第２実施形態に示したステップＳ２４〜Ｓ２９の処理フローを実施して、第１輸液剤Ｔ１の送液速度を確認するようにしてもよい。また、第１及び第２輸液チューブ１６、１８からなる輸液ラインでは、第１識別デバイス２４の識別情報の一致が確認できれば、第２識別デバイス２６の識別情報の確認を省くことができるが、管理サーバ２１６は、ステップＳ４１の後に、第２識別デバイス２６（上流側及び下流側識別部材５４、５６）の識別情報を確認するようにステップＳ３６〜Ｓ４１を繰り返させてもよい。特に３本以上の輸液チューブによって構成される輸液ラインでは、輸液ラインの数に応じてステップＳ３６〜Ｓ４１の処理を繰り返し行うことが望ましい。
【０１２６】
以上のように、第３実施形態に係る輸液ライン識別システム２００は、第１及び第２識別デバイス２４、２６の識別情報Ａ１、Ａ２、Ｂ１、Ｂ２、第１及び第２輸液剤識別部材２０２、２０４の第１及び第２輸液剤情報Ｄ１、Ｄ２、患者識別部材２０６の患者コードＧを読み取り、管理サーバ２１６が各情報に基づき、輸液ラインの正常又は異常を判別することで、より確実に輸液チューブの誤接続を識別することができる。
【０１２７】
〔第４実施形態〕
第４実施形態に係る輸液ライン識別システム３００は、図１１Ａ〜図１１Ｃに示すように、第１識別デバイス３０２が上流側識別部材３０４と第１ポンプ３０６の組み合わせによって構成され、第２識別デバイス３０８が上流側識別部材３１０と第２ポンプ３１２の組み合わせによって構成されている点で、第１〜第３実施形態に係る輸液ライン識別システム１０、１００、２００と異なる。なお、以下の説明では、特に指示のない限り第１輸液剤Ｔ１を流通する構成要素を代表的に述べていく。
【０１２８】
第１識別デバイス３０２（上流側識別部材３０４及び第１ポンプ３０６）の識別情報Ａ（図１２参照）は、第２識別デバイス３０８の識別情報Ｂと異なり、且つ第１識別デバイス３０２の一部を構成する第１ポンプ３０６は、上流側識別部材３０４の識別情報Ａに関連する識別情報を有している。
【０１２９】
例えば、第１ポンプ３０６が有する識別情報としては、上流側識別部材３０４の識別情報Ａに含まれる識別符号（又は識別符号に紐付けられた符号）が挙げられる。つまり、第１ポンプ３０６は、上流側識別部材３０４の識別符号を記憶していることで、識別情報を有した状態となる。
【０１３０】
このため、第１ポンプ３０６は、図１２に示すように、上流側識別部材３０４の識別符号を保存する符号記憶部３１４を内部に有している。また、第１ポンプ３０６に接続された第１読取装置２８による識別情報Ａの読み取りが１回で済むため、第１ポンプ３０６には、第１実施形態で挙げた読取回数カウント部６２が設けられていない。
【０１３１】
すなわち、第１ポンプ３０６の判別部６４は、符号記憶部３１４が記憶した識別符号を読み出し、第１読取装置２８により読み取った識別情報Ａの識別符号と比較することにより、第１輸液チューブ１６と第１ポンプ３０６の接続が正常か否かを判別する。
【０１３２】
また、第１ポンプ３０６の上面には、上流側識別部材３０４のリング状に略一致する溝からなる取付部３１６（図１５Ｂ参照）が設けられている。この取付部３１６は、上流側識別部材３１０に嵌合することで、上流側識別部材３１０を所定の保持力で保持する。上流側識別部材３１０は、第１ポンプ３０６と第１輸液チューブ１６の接続状態で、第１ポンプ３０６から分離して第１輸液チューブ１６に沿って移動させることができ（図１１Ｂ参照）、さらに第１輸液バッグ１２と第１輸液チューブ１６の接続箇所に接続可能に構成されている（図１１Ｃ参照）。
【０１３３】
また、上流側識別部材３０４は、第１識別デバイス３０２の識別情報（識別符号）がバーコードＨ（識別部：図１３Ｂ参照）により付されている。上流側識別部材３１０は、第１ポンプ３０６への保持状態や第１輸液チューブ１６上を移動する際に、バーコードＨが読み取れないように、このバーコードＨを覆い、上記の第１輸液バッグ１２との接続箇所にてバーコードＨを露出する構成となっている。
【０１３４】
具体的には、上流側識別部材３０４は、図１３Ａ及び図１３Ｂに示すように、大きさの異なる２つのＣ字状の部材（内環体３１８、外環体３２０）からなり、内環体３１８の外面にバーコードＨが貼り付けられた構造となっている。内環体３１８と外環体３２０は、径方向に重ね合わせることが可能な形状に形成されており、第１輸液チューブ１６上の移動時に内環体３１８の外周面が外環体３２０に覆われることでバーコードＨが隠される。また、外環体３２０は、前記接続箇所にて、内環体３１８と相対的に変位することでバーコードＨを露出することができる。
【０１３５】
内環体３１８（本体部）は、第１輸液チューブ１６のびん針３４の基端部に形成されたフランジ部３４ａの外径よりも径方向外側に多少大きな外径に形成され、第１輸液チューブ１６が挿入可能な上下に貫通した挿通孔３２２を備えている。そして、内環体３１８の内周面側には、図１４Ａに示すように、径方向内側に突出する底壁３２４と、テーパ面を有する側壁３２６とが形成されている。びん針３４のフランジ部３４ａは、底壁３２４と側壁３２６によって構成される収容空間３２８に収容可能である。
【０１３６】
また、内環体３１８の外周面の上部及び下部には、径方向外側に微量に突出する一対の凸部３３０が設けられている。これら一対の凸部３３０に挟まれた隙間部３３２には、外環体３２０の内側テーパ部３３４が収容される。
【０１３７】
一方、外環体３２０の内周面の下部は、内環体３１８の一対の凸部３３０の外径に対応する段部３３６を有し、さらに段部３３６の上方には、内側テーパ部３３４が形成されている。内側テーパ部３３４は、その下部側が内環体３１８の隙間部３３２に対応する突出量で突出しており、上方且つ外側に向かって緩やかに傾斜している。
【０１３８】
この内側テーパ部３３４は、図１４Ａに示すよう、内環体３１８と外環体３２０が重なり合っている状態で、隙間部３３２内に収容される。そして、内環体３１８と相対的に外環体３２０が上方向に変位する際に、そのテーパ形状によって側壁３２６を内側に押し込む。これにより、内環体３１８の収容空間３２８の側部が狭まることになり、フランジ部３４ａの外周面に対し内環体３１８（側壁３２６）の内周面を強く密着させることができる。従って、上流側識別部材３０４は、図１３Ｂに示すびん針３４との取付状態を強固に維持することが可能となる。なお、このびん針３４に対する上流側識別部材３０４の接続機構は、輸液ライン識別システム３００に限定されず、第１〜３実施形態に係る輸液ライン識別システム１０、１０Ａ、１０Ｂ、１００、２００に適用してもよい。
【０１３９】
また、内環体３１８及び外環体３２０の周方向の一部分には、挿通孔３２２を周方向に露出する切り欠き部３３８が形成されており、この切り欠き部３３８はシャッター３４０（扉部）により閉塞されている。このシャッター３４０は、第１ポンプ３０６の取付部３１６に上流側識別部材３０４を保持した状態で開閉可能な構成となっている。
【０１４０】
図１５Ａ〜図１５Ｃに示すように、第１ポンプ３０６は、第１輸液チューブ１６を収容する収容溝３４２を有し、収容した第１輸液チューブ１６をしごく機構を備えた筐体４４と、筐体４４に対し回動可能に取り付けられる蓋体３４４とを備える。収容溝３４２は、筐体４４の長手方向（上下方向）に沿って形成されており、第１輸液チューブ１６を上下方向に略直線状に収容する。また、筐体４４の上面には、上述した取付部３１６が設けられている。取付部３１６は、収容溝３４２を中心にその周囲を囲う形状となっている。この取付部３１６の所定位置には、円弧状の長孔３４６と、長孔３４６から突出するとともにこの長孔３４６に沿って移動可能なピン３４８が設けられている。
【０１４１】
一方、蓋体３４４は、筐体４４の一辺（長手方向に延びる１つの角部）に設けられたヒンジ部３５０を基点に回動する構成であり、取扱者の操作下に収容溝３４２を開放及び閉塞する機能を有している。また、蓋体３４４には、蓋体３４４にかかる操作力（回動力）を筐体４４側に伝える伝達部材３５２が接続されている。伝達部材３５２は、筐体４４側の一端部が蓋体３４４の開放にともないヒンジ部３５０側に移動し、蓋体３４４の閉塞にともないヒンジ部３５０から離れるスライド機能を有する。
【０１４２】
第１ポンプ３０６は、蓋体３４４の回動力（伝達部材３５２のスライド）をピン３４８の移動力に機械的に変換する駆動伝達部３５４を備えている。この駆動伝達部３５４は、種々の機構を適用することができ、例えば、複数のギアの組み合わせにより構成される。また、伝達部材３５２により、ピン３４８は、駆動伝達部３５４により蓋体３４４の開放時に長孔３４６の一端部に寄せられ（図１５Ｂ参照）、蓋体３４４の閉塞時に長孔３４６に沿って他端部側（図１５Ｃ参照）に移動する。
【０１４３】
上流側識別部材３０４のシャッター３４０は、外環体３２０の内部に収容される周方向に長尺な板状に形成されており、上記のピン３４８が下部の所定位置に接続可能となっている。このため、シャッター３４０は、ピン３４８の移動にともなって切り欠き部３３８を開閉する。例えば、蓋体３４４が開放してピン３４８が長孔３４６の一端部に移動した状態では、ピン３４８に連れてシャッター３４０も外環体３２０内に移動する。これにより上流側識別部材３０４の挿通孔３２２が露出される。従って、切り欠き部３３８から挿通孔３２２内に第１輸液チューブ１６を入れることができる。また、蓋体３４４が閉塞してピン３４８が長孔３４６の他端側に移動した状態では、ピン３４８に連れてシャッター３４０も移動し、切り欠き部３３８を閉塞する（図１５Ａ及び図１５Ｃ参照）。
【０１４４】
このように、第１ポンプ３０６の蓋体３４４の開放にともない上流側識別部材３０４の挿通孔３２２を露出することで、第１ポンプ３０６の収容溝３４２に第１輸液チューブ１６を収容するのと同時に、上流側識別部材３０４の挿通孔３２２に第１輸液チューブ１６を通すことができる。よって、第１輸液チューブ１６と第１識別デバイス３０２の接続を簡単に行うことができる。
【０１４５】
なお、第２識別デバイス３０８の上流側識別部材３１０、第２ポンプ３１２も、第１識別デバイス３０２の上流側識別部材３０４、第１ポンプ３０６と同様の構成をとり得ることは勿論である。
【０１４６】
第４実施形態に係る輸液ライン識別システム３００は、基本的には以上のように構成されるものであり、第１ポンプ３０６の判別部６４による処理フローは、第１実施形態と略同様のフローを行うことができる（但し、ステップＳ１３及びＳ１４を省略してよい）。また、第４実施形態に係る輸液ライン識別システム３００も、第２及び第３実施形態の輸液ライン識別システム１００、２００と同様の構成を取り得る。つまり、ＨＩＳ１０２により輸液ラインの接続関係の確認や送液速度の確認を行うことができ、また第１及び第２輸液剤識別部材２０２、２０４や患者識別部材２０６とも協働して、輸液ラインの接続関係の確認や送液速度の確認を行うこともできる。
【０１４７】
以上のように、輸液ライン識別システム３００によれば、第１識別デバイス３０２を構成する一方が第１ポンプ３０６であることで、第１輸液チューブ１６に沿って上流側識別部材３０４を第１ポンプ３０６と相対的に移動することで、第１輸液バッグ１２（第１輸液剤Ｔ１）と第１ポンプ３０６との接続関係を容易に識別することができる。
【０１４８】
また、上流側識別部材３０４が、第１ポンプ３０６に接続された状態で、第１ポンプ３０６の蓋体３４４の開放にともない挿通孔３２２を露出し、蓋体３４４の閉塞にともない挿通孔３２２を覆うシャッター３４０を備えることで、第１ポンプ３０６を取り付ける際に蓋体３４４と同時にシャッター３４０を開くことができ、第１ポンプ３０６と上流側識別部材３０４を一体的に第１輸液チューブ１６に取り付けることが可能となる。また、上流側識別部材３０４は、蓋体３４４の閉塞によりシャッター３４０を確実に閉塞することができ、第１識別デバイス３０２の取り付けにより、第１輸液チューブ１６からの上流側識別部材３０４の離脱を不能とすることができる。
【０１４９】
さらに、上流側識別部材３０４が第１輸液チューブ１６上に位置する状態で、外環体３２０がバーコードＨを覆い、第１輸液バッグ１２に保持された状態でバーコードＨを露出可能であることで、第１輸液チューブ１６上において識別情報Ａを不用意に読み取ってしまう不都合を抑止することができる。
【０１５０】
上記において、本発明について好適な実施形態を挙げて説明したが、本発明は前記実施形態に限定されるものではなく、本発明の要旨を逸脱しない範囲において、種々の改変が可能なことは言うまでもない。
【符号の説明】
【０１５１】
１０、１０Ａ、１０Ｂ、１００、２００、３００…輸液ライン識別システム
１２…第１輸液バッグ                １４…第２輸液バッグ
１６…第１輸液チューブ              １８…第２輸液チューブ
２０、３０６…第１ポンプ            ２２、３１２…第２ポンプ
２４、２５Ａ、２５Ｂ、３０２…第１識別デバイス
２６、２７Ａ、２７Ｂ、３０８…第２識別デバイス
２８…第１読取装置                  ３０…第２読取装置
３４…びん針                        ４４…筐体
５０、５４、３０４、３１０…上流側識別部材
５２、５６…下流側識別部材          ６４…判別部
１０２…病院情報システム（ＨＩＳ）  １０４…管理サーバ
１１２…システム制御部              １２６…送液速度設定部
２０２…第１輸液剤識別部材          ２０４…第２輸液剤識別部材
２０６…患者識別部材                ２０８…読取装置
３０６…第１ポンプ                  ３０８…第２ポンプ
３１８…内環体                      ３２０…外環体
３２２…挿通孔                      ３４０…シャッター
３４２…収容溝                      ３４４…蓋体
【図１】
2014200415.tif 000003
【図２】
2014200415.tif 000004
【図３】
2014200415.tif 000005
【図４】
2014200415.tif 000006
【図５】
2014200415.tif 000007
【図６】
2014200415.tif 000008
【図７】
2014200415.tif 000009
【図８】
2014200415.tif 000010
【図９】
2014200415.tif 000011
【図１０】
2014200415.tif 000012
【図１１】
2014200415.tif 000013
【図１２】
2014200415.tif 000014
【図１３】
2014200415.tif 000015
【図１４】
2014200415.tif 000016
【図１５】
2014200415.tif 000017